(57)【要約】【課題】媒体カセットに媒体を装填する操作の操作性を向上させる。【解決手段】媒体処理装置に装着したとき、第１の板材（底板）の第２の板材（前板）側を低くする傾斜を形成するとともに、媒体処理装置から外したとき、隣接したそれぞれの板材が形成する角度が直角になるようして第１の板材（底板）上に媒体を水平に装填できるようにした。【選択図】        図１
2009132476.tif 000002
【特許請求の範囲】
【請求項１】
媒体処理装置に着脱可能に構成され、収納部に収納された最下位の媒体をローラで繰出す直方体状の媒体カセットにおいて、
媒体を載置するための矩形状の第１の板材（底板）と、
前記第１の板材（底板）に載置された媒体を放出するための媒体放出開口部を有し、前記第１の板材（底板）の一辺と回動自在に一辺が連結された矩形状の第２の板材（前板）と、
前記第２の板材（前板）が連結された一辺と対向する前記第１の板材（底板）の一辺と回動自在に一辺が連結された矩形状の第３の板材（後板）と、
前記第１の板材（底板）が連結された一辺と対向する前記第２の板材（前板）の一辺および前記第１の板材（底板）が連結された一辺と対向する前記第３の板材（後板）の一辺と、対向する二辺が回動自在に連結された矩形状の第４の板材（上板）とを設け、
媒体処理装置に装着したとき、前記第１の板材（底板）の第２の板材（前板）側が第３の板材（後板）側より低くなる傾斜を形成するとともに、
媒体処理装置から外したとき、第１の板材（底板）上に媒体を略水平に装填できるようにしたことを特徴とする媒体カセット。
【請求項２】
請求項１の媒体カセットにおいて、
前記第１の板材（底板）の側部および第４の板材（上板）の側部の近傍に回動自在に軸止された複数の第５の板材（側板）を設け、
前記第５の板材（側板）で、収納された媒体の側端部を規制する側面を形成するようにしたことを特徴とする媒体カセット。
【請求項３】
請求項１の媒体カセットにおいて、
前記第１の板材（底板）および第４の板材（上板）の両側部を覆い、収納された媒体の側端部を規制する側面を形成する媒体カセットフレームを設け、
前記媒体カセットフレームに前記第２の板材（前板）を固着するようにしたことを特徴とする媒体カセット。
【請求項４】
請求項１、請求項２または請求項３の媒体カセットにおいて、
前記第１の板材（底板）を回動させるように付勢する弾性部材を設けたことを特徴とする媒体カセット。
【請求項５】
請求項４の媒体カセットにおいて、
前記弾性部材で付勢された隣接する前記板材に当接して該板材との角度を規制して形状を固定する一の板材に形成された係止部とを設け、
媒体処理装置から外したとき、前記係止部が隣接したそれぞれの前記板材が形成する角度を規制して形状を固定するようにしたことを特徴とする媒体カセット。
【請求項６】
装着された媒体カセットの収納部に収納された最下位の媒体をローラで繰出す媒体処理装置において、
媒体カセットを案内して装着させるための媒体カセットガイドと、
前記媒体カセットガイドで案内されて装着された前記請求項１から請求項４のいずれかの媒体カセットの第１の板材（底板）の第３の板材（後板）側の端部に当接する突出部とを設け、
前記請求項１から請求項５のいずれかの媒体カセットが装着されたとき、前記突出部が装着された媒体カセットの前記第１の板材（底板）の第３の板材（後板）側の端部が高くなるように前記第１の板材（底板）を傾斜させるようにしたことを特徴とする媒体処理装置。
【発明の詳細な説明】
【技術分野】
【０００１】
本発明は、銀行等の金融機関で用いられる媒体処理装置およびその媒体処理装置に装着される媒体カセットに関し、特に通帳や帳票等の媒体を収納する媒体カセットを着脱可能に構成された媒体処理装置に関する。
【背景技術】
【０００２】
従来の媒体処理装置は、例えば銀行等の金融機関に設置される現金自動預払機や窓口端末等の端末装置に搭載され、その端末装置を操作する操作者に新たな通帳や帳票等の媒体を発行するためにその媒体を収納する媒体カセットを備え、新規口座の開設時や通帳を繰り越す時にその媒体カセットから媒体を繰出し、文字の印字、磁気ストライプへの書込み等を行った後に媒体を発行するようにしている。
【０００３】
この媒体処理装置に備えられる媒体カセットは、ローラを回転させて最下部の媒体を搬出口へ順次繰出すようにし、その媒体の繰出しを容易にするため、搬出口側の端部を下方、他の端部が上方になるように斜めに媒体を収納するようにしている（例えば、特許文献１参照）。
【特許文献１】特開平１０−１４３７１７号公報（段落「００１６」〜段落「００２４」、図１、図２）
【発明の開示】
【発明が解決しようとする課題】
【０００４】
しかしながら、上述した従来の技術においては、媒体カセットに媒体を装填する場合、操作者が端末装置から取り外した媒体カセットに媒体を斜めにして装填する必要があり、操作性が極めて悪く、また操作性が悪いため媒体の装填不良を発生させ易く、媒体を発行するときの媒体の繰出し動作において異常が発生してしまうという問題がある。
本発明は、このような問題を解決し、媒体を装填する操作性を向上させることを課題とする。
【課題を解決するための手段】
【０００５】
そのため、本発明は、媒体処理装置に着脱可能に構成され、収納部に収納された最下位の媒体をローラで繰出す直方体状の媒体カセットにおいて、媒体を載置するための矩形状の第１の板材（底板）と、前記第１の板材（底板）に載置された媒体を放出するための媒体放出開口部を有し、前記第１の板材（底板）の一辺と回動自在に一辺が連結された矩形状の第２の板材（前板）と、前記第２の板材（前板）が連結された一辺と対向する前記第１の板材（底板）の一辺と回動自在に一辺が連結された矩形状の第３の板材（後板）と、前記第１の板材（底板）が連結された一辺と対向する前記第２の板材（前板）の一辺および前記第１の板材（底板）が連結された一辺と対向する前記第３の板材（後板）の一辺と、対向する二辺が回動自在に連結された矩形状の第４の板材（上板）とを設け、媒体処理装置に装着したとき、前記第１の板材（底板）の第２の板材（前板）側が第３の板材（後板）側より低くなる傾斜を形成するとともに、媒体処理装置から外したとき、第１の板材（底板）上に媒体を略水平に装填できるようにしたことを特徴とする。
【発明の効果】
【０００６】
このようにした本発明は、通帳を略水平にした状態で容易に装填することができるようになり、操作性を向上させることができるという効果が得られる。また媒体の装填不良を防止することができ、媒体を発行するときの媒体の繰出し動作において発生する異常を低減させることができるという効果が得られる。
【発明を実施するための最良の形態】
【０００７】
以下、図面を参照して本発明による媒体処理装置の実施例を説明する。
【実施例１】
【０００８】
図８は第１の実施例における自動取引装置の斜視図、図９は第１の実施例における自動取引装置の構成を示すブロック図である。
図８および図９において、１は自動取引装置であり、銀行等の金融機関の店舗またはコンビニエンスストア等の店舗等に設置されるものである。この自動取引装置１は、利用者が金融機関に開設した口座の支店番号、口座科目、口座番号等の口座情報が記録された磁気ストライプ付のカード等の挿入を受付けて現金引出し、現金預け入れ取引や振込み取引等の取引を行うものである。
【０００９】
なお、本実施例では自動取引装置１を現金自動預払機として説明するが、自動取引装置１は乗車券、入場券等のチケットを発券する自動券売機や自動航空券発行機、金融機関の窓口に設置される窓口端末、無人契約機等を含む概念である。
２は顧客操作表示部であり、タッチパネル等の操作部および液晶ディスプレイ等の表示部で構成されたものである。この顧客操作表示部２は液晶ディスプレイ等の表示部上にタッチパネルを配置し利用者が入力操作等を行うものであり、また、取引選択画面、利用者が選択した取引に対して利用者の入力操作等の誘導を行う画面、および利用者の入力操作等により入力された情報等を表示するものである。
【００１０】
３は媒体処理装置としての通帳処理部であり、磁気ストライプ読取り書込み機構、通帳印刷機構等を備えたものである。この通帳処理部３は、自動取引装置１の前面に設けられた通帳挿入排出口に利用者が挿入した通帳を引き込み、その通帳の磁気ストライプから口座番号等の口座情報等を読取ることができ、また通帳に取引の内容等を印刷することができる。口座情報等を読取り、取引の内容等を印刷した通帳は自動取引装置１の前面に設けられた通帳挿入排出口から排出して利用者に返却することができる。さらに予め通帳カセットに装填された通帳を発行する機能を有するものである。なお、通帳処理部３の構成は後述する。
【００１１】
４はカード処理部であり、カード読取り書込み機構を備えたものである。このカード処理部４は、自動取引装置１の前面に設けられたカード挿入排出口に利用者が挿入したカードの磁気ストライプやＩＣチップ等から口座番号等の口座情報等を読取ることができ、また口座情報等を読取ったカードは自動取引装置１の前面に設けられたカード挿入排出口から排出して利用者に返却することができる。
【００１２】
５は紙幣入出金部であり、現金出金取引や現金入金取引に伴う紙幣の入出金処理を行うものである。
６は硬貨入出金部であり、現金出金取引や現金入金取引に伴う硬貨の入出金処理を行うものである。
７は記憶部であり、半導体メモリや磁気ディスク等で構成され情報を記憶し、記憶した情報を読出すことができるものである。この記憶部７には自動取引装置１全体の動作を制御する制御プログラム（ソフトウェア）、顧客操作表示部２に表示する画面データおよび利用者が行う取引に必要な情報等を記憶する。
【００１３】
８は制御部であり、ＣＰＵ、ＭＰＵ等の演算および制御手段等で構成されたものである。この制御部８は顧客操作表示部２、通帳処理部３、カード処理部４、紙幣入出金部５、硬貨入出金部６、および記憶部７を含む自動取引装置１全体の動作を記憶部７に格納された制御プログラム（ソフトウェア）に基づいて制御する。
本実施例では、通帳処理部３を媒体処理装置として説明するが、媒体処理装置はカード、帳票、乗車券、航空券、入場券、チケット等の媒体を発行する機能を有する装置であり、カード処理部４等であってもよい。
【００１４】
次に、媒体処理装置としての通帳処理部３の構成を図１０の第１の実施例における通帳処理部の側面図に基づいて説明する。
１０は通帳挿入排出口であり、顧客の操作により通帳の挿入を受付け、また挿入された通帳を排出して返却するための部位である。
１１は搬送ローラであり、周面が接するように対向配置され、図示しないモータ等の駆動手段により回転し、挟持した通帳を搬送するものである。
【００１５】
１２は搬送路であり、複数の搬送ローラ１１で形成され、通帳を通帳処理部３の内部に搬送するためのものである。
１３は磁気ヘッドであり、通帳に貼付された磁気ストライプから顧客の口座番号等の各種情報を読取り、また書き込むためのものである。
１４は頁捲りローラであり、周面が樹脂等の高摩擦部材で形成され、通帳に当接させて回転させることにより頁を捲るためのものである。
【００１６】
１５は頁行センサであり、ＣＣＤ（Ｃｈａｒｇｅ  Ｃｏｕｐｌｅｄ  Ｄｅｖｉｃｅｓ）等で構成され、通帳の頁を識別するための頁マークや通帳に印字された行を読取るためのセンサである。
１６は印字ヘッドであり、通帳に取引内容等を印字するためのものである。
１７は通帳カセットであり、通帳の繰越時や新たな口座の開設時に発行する通帳を予め収納するための収納部を有するものである。この通帳カセット１７は、通帳処理部３に着脱可能に構成され、通帳を装填するとき係員の操作により通帳処理部３から外すことができ、また装着することができるようになっている。
【００１７】
１８は通帳であり、通帳処理部３の装着された通帳カセット１７内に閉じた状態で通帳を放出するための通帳排出開口部に向かって傾斜させて装填されている状態を示している。
１９はピックアップローラであり、周面が樹脂等の高摩擦部材で形成され、通帳カセット１７に装填された最下位の通帳１８に当接させて回転させることにより通帳１８を１冊ずつ繰出すためのものである。
【００１８】
２０は取り出しローラであり、ピックアップローラ１９により繰出された通帳１８を搬送路１２へ送り出すためのものである。
２１、２２は通帳検知センサであり、光学式センサ等で構成されたものである。通帳検知センサ２１は、通帳カセット１７内に通帳１８の有無を検知し、通帳検知センサ２２は、ピックアップローラ１９により繰出された通帳１８が搬送路１２へ送り出されたことを検知する。
【００１９】
次に、通帳カセット１７の構成を図１の第１の実施例における通帳カセットの側面図、図２の第１の実施例における通帳カセットの平面図、図３の第１の実施例における通帳カセットの背面図、図４の第１の実施例における通帳カセットの内部を示す側面図、図５の第１の実施例における通帳カセットの内部を示す平面図、図６の第１の実施例における通帳カセットの内部を示す背面図、図７の第１の実施例における通帳処理部に装着した通帳カセットの説明図に基づいて説明する。
【００２０】
図３、図４および図５において、３０は上板であり、通帳カセット１７の上面を形成する矩形状の部材、３１は底板であり、媒体を載置するための通帳カセット１７の底面を形成する矩形状の部材、３２は前板であり、通帳カセット１７の前面を形成する矩形状の部材、３３は後板であり、通帳カセット１７の後面を形成する矩形状の部材である。
上板３０の一辺と前板３２の一辺はピン４３、上板３０の一辺と後板３３の一辺はピン４４で回動自在に連結され、底板３１の一辺と前板３２の一辺はピン４５、底板３１の一辺と後板３３の一辺はピン４６で回動自在に連結されている。
【００２１】
したがって、図１に示すように上板３０、底板３１、前板３２、および後板３３はピン４３、４４、４５、４６を頂点とした平行四辺形を形成することができるようになっている。
３４、３５、３６、３７は側表板、３８、３９、４０は側裏板であり、通帳カセット１７の装填された通帳の側端部を規制するための側面を形成する部材である。この側表板（３４、３５、３６、３７）と側裏板（３８、３９、４０）は図２に示すように重なり合って通帳カセット１７の両側面を形成している。
【００２２】
４１は上横板、４２は下横板であり、側表板（３５、３６）と側裏板（３８、３９、４０）を連結するための矩形状の部材である。側表板（３５、３６）と側裏板（３８、３９、４０）の上部は同一直線上に配置されたそれぞれのピン４７で上横板４１に軸止され、側表板（３５、３６）と側裏板（３８、３９、４０）の下部は同一直線上に配置されたそれぞれのピン４８で下横板４２に軸止され、その側表板（３４、３５、３６、３７）および側裏板（３８、３９、４０）は、前板３２および後板３３の側線と平行するように軸止されている。
【００２３】
なお、側表板３４の上部および上横板４１の端部はピン４３ａで軸止されて上板３０および前板３２と連結され、側表板３７の上部および上横板４１の端部はピン４４ａで軸止されて上板３０および後板３３と回動自在に連結されている。
また、側表板３４の下部および下横板４２の端部はピン４５ａで軸止されて底板３１および前板３２と連結され、側表板３７の下部および下横板４２の端部はピン４６ａで軸止されて底板３１および後板３３と回動自在に連結されている。
【００２４】
このように上板３０、底板３１、前板３２、後板３３、側表板（３４、３５、３６、３７）、および側裏板（３８、３９、４０）により通帳カセット１７の収納部の六面が形成され、図１に示すように側表板（３４、３５、３６、３７）および側裏板（３８、３９、４０）が形成する両側面はピン４３とピン４６、ピン４４とピン４５を対角とした平行四辺形を形成し、その対角を自在に変化させることができるようになっている。
【００２５】
また、前板３２の底部の近傍に通帳カセット１７に装填された通帳を送り出すための通帳放出開口部４９が形成されている。
図３において、上横板４１、側表板（３４、３５、３６、３７）、側裏板（３８、３９、４０）、および下横板４２は扉５２を形成し、その扉５２はヒンジ５０で上板３０と回動自在に連結されている。したがって、ヒンジ５０を支点として扉５２を回動させて開放させることにより通帳カセット１７に通帳を出し入れすることができるようになっている。また、扉５２を閉じるとき、扉５２の底部の近傍に固着されたピン４５ａ、４６ａがピン４５、４６の近傍に形成された溝に嵌合して通帳カセット１７の側面を形成するようになっている。
【００２６】
次に、通帳カセット１７の内部の構成を説明する。
図４において、５３は駆動手段であり、モータ等で構成されたものである。駆動手段５３が発生する駆動をタイミングベルト５４で図示しないタイミングプーリを介してピックアップローラ１９に伝達し、さらにタイミングベルト５５で図示しないタイミングプーリを介して取り出しローラ２０に伝達することができるようになっている。
【００２７】
なお、ピックアップローラ１９および取り出しローラ２０の回転軸は底板３１に設けられている。
５６は通帳ガイドであり、前板３２に固着され、装填された通帳の端部を案内するためのものである。
５７は分離板であり、通帳ガイド５６の下方に形成された板状のものである。この分離板５７は通帳が重なった状態で取り出されることを防止するためのものである。
【００２８】
５８はアルファバネであり、ピン４５と略同軸になるように配置された弾性部材である。このアルファバネ５８は一面が前板３２に当接し、他の一面が底板３１に当接するように配置され、図中反時計方向に回動するように前板３２を付勢し、図中時計方向に回動するように底板３１を付勢している。したがって、上板３０はピン４３を回転軸として図中時計方向に付勢され、後板３３はピン４６を回転軸として図中反時計方向に付勢されている。
【００２９】
なお、アルファバネ５８はピン４５と略同軸になるように配置された例で説明するが、それに限られることなくピン４３、ピン４４、またはピン４６と略同軸になるように配置するようにしてもよい。
５９は係止部であり、底板３１の固着された部材である。この係止部５９は、その端部が後板３３に当接して底板３１と後板３３が形成する角度が鋭角にならないように規制するためのものであり、アルファバネ５８により付勢された後板３３を規制して後板３３と底板３１との角度が直角になるように固定して形状を固定する。したがって、ピン４３、４４、４５、４６を頂点とする平行四辺形は矩形になり、上板３０、底板３１、前板３２、後板３３が形成する平行四辺形も矩形になる。
【００３０】
なお、係止部５９は底板３１に固着した例で説明するが、それに限られることなく上板３０、前板３２、または後板３３に固着するようにしてもよい。
図５および図６において、６３はバックアップであり、装填された通帳をピックアップローラ１９に押圧するための錘である。このバックアップ６３は、前後左右の方向に揺動自在にバックアップアーム６２で支持されている。
【００３１】
バックアップアーム６２はスライド軸受け６１に固着され、そのスライド軸受け６１はシャフト６０に沿って上下動可能に構成されている。
６４は側面ガイドであり、装填された通帳の端部を案内するとともにシャフト６０やスライド軸受け６１等を覆うように側裏板３９に固着されている。
このように構成された通帳カセット１７は、通帳処理部３から取り外したとき、図４、図５、および図６に示すように略直方体形状を形成するようにし、係員等の操作により扉５２を開放して通帳を水平にしたまま装填することができるようになっている。
【００３２】
次に、通帳処理部３に装着した通帳カセット１７を図７の第１の実施例における通帳処理部に装着した通帳カセットの説明図に基づいて説明する。
図７（ａ）は通帳カセット１７を通帳処理部３に装着したときの平面図であり、（ｂ）は通帳カセット１７を通帳処理部３に装着したときの側面図である。
図７において、７０は前板突起部であり、前板３２の側部に形成された突起部である。
【００３３】
７１はカセットガイドであり、通帳処理部３に形成された通帳カセット１７を所定の位置に案内して装着させるためのものである。このカセットガイド７１には前板突起部７０を勘合するための溝が形成され、その溝に嵌合された前板突起部７０を案内することで通帳カセット１７を所定の位置に案内することができるようになっている。通帳カセット１７が所定の位置に案内されることで通帳カセット１７に装填された通帳を搬送路１２へ１冊ずつ繰出すことができるようになる。
【００３４】
７２はストッパであり、通帳処理部３に設けられ、通帳カセット１７の底板３１を係止するための突出部が形成された部材である。このストッパ７２は装着される通帳カセット１７の通帳放出開口部４９が形成された前板３２側が低く、後板３３側が高くなるように傾斜が形成されている。したがって、通帳処理部３に装着される通帳カセット１７はカセットガイド７１で案内されてストッパ７２により係止され、前板３２側が低く、後板３３側が高くなるように傾斜し、ピン４３とピン４６、ピン４４とピン４５を対角とした平行四辺形を形成する。
【００３５】
上述した構成の作用について説明する。
通帳カセット１７は、通帳処理部３から取り外したとき、アルファバネ５８の力を受けるとともにその力を係止部５９および後板３３で規制することにより図４、図５、および図６に示すように略直方体形状を形成する。
係員は図１１に示すように扉５２を回動させて開放させ、バックアップ６３を上げてそのバックアップ６３の下方に通帳を重ねたまま水平に装填する。
【００３６】
通帳を装填すると係員はバックアップ６３を装填した通帳に載置して扉５２を閉じ、その通帳カセット１７の前板突起部７０をカセットガイド７１に形成された溝に嵌め合わせて通帳カセット１７を通帳処理部３に装着させる。
通帳カセット１７の底板３１は傾斜が形成されたストッパ７２により係止され、通帳カセット１７の底板３１は、その前板３２側が低く、後板３３側が高くなるように傾斜し、ピン４３とピン４６、ピン４４とピン４５を対角とした平行四辺形を形成して密閉構造を維持しつつ通帳処理部３に装着される。
【００３７】
通帳カセット１７に装填された通帳１８は、図１２に示すように通帳放出開口部４９が形成された前板３２側が低くなるように斜めにずれ、最上位の通帳１８は揺動自在に形成されたバックアップ６３の当接面で押圧される。そのため、装填された最下位の通帳１８はピックアップローラ１９に繰出すために必要な充分な力で押圧されている。
このように通帳カセット１７は、通帳処理部３から取り外すと略直方体形状を形成するため、係員は水平にした状態で通帳を容易に装填することができるようになり、また通帳処理部３に装着すると装填された通帳の通帳放出開口部４９側の端部を低く、他の端部を高くなるように斜めにずらすため、ピックアップローラ１９や取り出しローラ２０による通帳の繰出し動作を円滑に行うことができるようになる。
【００３８】
以上説明したように、第１の実施例では、通帳カセット１７を通帳処理部３から取り外すとその通帳カセット４は略直方体形状を形成するようにしたため、係員は通帳を水平にした状態で容易に装填することができるようになるという効果が得られる。
また、通帳カセット１７の上板３０、底板３１、前板３２、および後板３３の側面が平行四辺形を形成するように構成したため、通帳カセット１７を通帳処理部３から取り外したとき、または装着したときも通帳を密閉することができるようになり、持ち運び時の荷崩れも防止することができるという効果が得られる。
【実施例２】
【００３９】
通帳カセット１７の第２の実施例の構成を図１３の第２の実施例における通帳カセットの側面図、図１４の第２の実施例における通帳カセットの平面図、図１５の第２の実施例における通帳カセットの背面図、図１６の第２の実施例における通帳カセットの内部を示す側面図、図１７の第２の実施例における通帳カセットの内部を示す平面図、図１８の第２の実施例における通帳カセットの内部を示す背面図に基づいて説明する。
【００４０】
なお、上述した第１の実施例と同様の部分は、同一の符号を付してその説明を省略する。
図１３、図１４および図１５において、３０は上板であり、通帳カセット１７の上面を形成する矩形状の部材、３１は底板であり、通帳カセット１７の底面を形成する矩形状の部材、３２は前板であり、通帳カセット１７の前面を形成する矩形状の部材、３３は後板であり、通帳カセット１７の後面を形成する矩形状の部材である。
【００４１】
上板３０と前板３２はピン４３、上板３０と後板３３はピン４４で回動自在に連結され、底板３１と前板３２はピン４５、底板３１と後板３３はピン４６で回動自在に連結されている。したがって、図１３に示すように上板３０、底板３１、前板３２、および後板３３はピン４３、４４、４５、４６を頂点とした平行四辺形を形成することができるようになっている。
【００４２】
７５は通帳カセットフレームであり、通帳カセット１７の上面を形成する矩形状の部材である天板７６、および通帳カセット１７の両側面を形成する矩形状の部材である側板８２が固着されて構成されたものである。この通帳カセットフレーム７５は、すくなくとも上板３０および底板３１の両側部を覆い、収納部の側面を形成している。
ピン４３およびピン４５は通帳カセットフレーム７５に軸止され、ピン４４およびピン４６は通帳カセットフレーム７５に軸止されることなく移動自在に構成されている。
【００４３】
したがって、前板３２は通帳カセットフレーム７５に固着され、上板３０、底板３１、および後板３３は通帳カセットフレーム７５の内部で移動可能に構成され、ピン４３、４４、４５、４６を頂点とした平行四辺形を形成することができるようになっている。
このように上板３０、底板３１、前板３２、後板３３、側板８２により通帳カセット１７の内部に通帳を収納するための空間が形成され、その空間は図１３に示すようにピン４３とピン４６、ピン４４とピン４５を対角とした平行四辺形を形成し、その対角を自在に変化させることができるようになっている。
【００４４】
また、前板３２の底部の近傍に通帳カセット１７に装填された通帳を送り出すための通帳放出開口部４９が形成されている。
８０は扉であり、一方の側板８２に形成された矩形状の板材である。この扉８０は、下端部に扉取手８１が固着され、また上端部にヒンジ５０が設けられ側板８２と回動自在に連結されている。したがって、ヒンジ５０を支点として扉８０を回動させて開放させることにより通帳カセット１７に通帳を出し入れすることができるようになっている。
【００４５】
次に、通帳カセット１７の内部の構成を説明する。
図１６に示すように、アルファバネ５８は一面が前板３２に当接し、他の一面が底板３１に当接するように配置され、図中反時計方向に前板３２を付勢し、図中時計方向に底板３１を付勢している。したがって、上板３０はピン４３を回転軸として図中時計方向に付勢され、後板３３はピン４６を回転軸として図中反時計方向に付勢されている。
【００４６】
また、係止部５９は、その端部が後板３３に当接して底板３１と後板３３が形成する角度が鋭角にならないように規制するためのものであり、アルファバネ５８により付勢された後板３３を規制して後板３３と底板３１との角度が直角になるように固定して形状を固定する。
したがって、ピン４３、４４、４５、４６を頂点とする平行四辺形は矩形になり、上板３０、底板３１、前板３２、後板３３が形成する平行四辺形も矩形になるのは第１の実施例と同様である。
【００４７】
このように構成された通帳カセット１７は、通帳処理部３から取り外したとき、図１６、図１７、および図１８に示すように略直方体形状を形成するようにし、係員等の操作により扉８０を開放して通帳を水平にしたまま装填することができるようになっている。
次に、通帳処理部３に装着した通帳カセット１７を図１９の第２の実施例における通帳処理部に装着した通帳カセットの説明図に基づいて説明する。
【００４８】
図１９（ａ）は通帳カセット１７を通帳処理部３に装着したときの平面図であり、（ｂ）は通帳カセット１７を通帳処理部３に装着したときの側面図である。
第１の実施例と同様に、通帳処理部３に装着される通帳カセット１７はカセットガイド７１で案内されてストッパ７２により係止され、前板３２側が低く、後板３３側が高くなるように傾斜し、ピン４３とピン４６、ピン４４とピン４５を対角とした平行四辺形を形成する。
【００４９】
上述した構成の作用について説明する。
通帳カセット１７は、通帳処理部３から取り外したとき、アルファバネ５８の力を受けるとともにその力を係止部５９および後板３３で規制することにより図１６、図１７、および図１８に示すように略直方体形状を形成する。
係員は扉８０を回動させて開放させ、バックアップ６３を上げてそのバックアップ６３の下方に通帳を重ねたまま水平に装填する。
【００５０】
通帳を装填すると係員はバックアップ６３を装填した通帳に載置して扉８０を閉じ、その通帳カセット１７の前板突起部７０をカセットガイド７１に形成された溝に嵌め合わせて通帳カセット１７を通帳処理部３に装着させる。
通帳カセット１７の底板３１は傾斜が形成されたストッパ７２により係止され、通帳カセット１７の内部の底板３１は、その前板３２側が低く、後板３３側が高くなるように傾斜し、ピン４３とピン４６、ピン４４とピン４５を対角とした平行四辺形を形成して密閉構造を維持しつつ通帳処理部３に装着される。
【００５１】
通帳カセット１７に装填された通帳１８は、図１９に示すように通帳放出開口部４９が形成された前板３２側が低くなるように斜めにずれ、最上位の通帳１８は揺動自在に形成されたバックアップ６３の当接面で押圧される。そのため、装填された最下位の通帳１８はピックアップローラ１９に繰出すために必要な充分な力で押圧されている。
このように通帳カセット１７は、通帳処理部３から取り外すと略直方体形状を形成するため、係員は水平にした状態で通帳を容易に装填することができるようになり、また通帳処理部３に装着すると装填された通帳の通帳放出開口部４９側の端部を低く、他の端部を高くなるように斜めにずらすため、ピックアップローラ１９や取り出しローラ２０による通帳の繰出し動作を円滑に行うことができるようになる。
【００５２】
以上説明したように第２の実施例では、第１の実施例と同様に通帳カセット１７を通帳処理部３から取り外すとその通帳カセット４は略直方体形状を形成するようにしたため、係員は通帳を水平にした状態で容易に装填することができるようになるという効果が得られる。
また、通帳カセット１７の上板３０、底板３１、前板３２、および後板３３の側面が平行四辺形を形成するように構成したため、通帳カセット１７を通帳処理部３から取り外したとき、または装着したときも通帳を密閉することができるようになり、持ち運び時の荷崩れも防止することができるという効果が得られる。
【図面の簡単な説明】
【００５３】
【図１】第１の実施例における通帳カセットの側面図
【図２】第１の実施例における通帳カセットの平面図
【図３】第１の実施例における通帳カセットの背面図
【図４】第１の実施例における通帳カセットの内部を示す側面図
【図５】第１の実施例における通帳カセットの内部を示す平面図
【図６】第１の実施例における通帳カセットの内部を示す背面図
【図７】第１の実施例における通帳処理部に装着した通帳カセットの説明図
【図８】第１の実施例における自動取引装置の斜視図
【図９】第１の実施例における自動取引装置の構成を示すブロック図
【図１０】第１の実施例における通帳処理部の側面図
【図１１】第１の実施例における通帳カセットの扉開放時の説明図
【図１２】第１の実施例における通帳処理部に装着した通帳カセットの内部の説明図
【図１３】第２の実施例における通帳カセットの側面図
【図１４】第２の実施例における通帳カセットの平面図
【図１５】第２の実施例における通帳カセットの背面図
【図１６】第２の実施例における通帳カセットの内部を示す側面図
【図１７】第２の実施例における通帳カセットの内部を示す平面図
【図１８】第２の実施例における通帳カセットの内部を示す背面図
【図１９】第２の実施例における通帳処理部に装着した通帳カセットの説明図
【符号の説明】
【００５４】
１    自動取引装置
２    顧客操作表示部
３    通帳処理部
４    カード処理部
５    紙幣入出金部
６    硬貨入出金部
７    記憶部
８    制御部
１０  通帳挿入排出口
１１  搬送ローラ
１２  搬送路
１３  磁気ヘッド
１４  頁捲りローラ
１５  ＣＣＤセンサ
１６  印字ヘッド
１７  通帳カセット
１８  通帳
１９  ピックアップローラ
２０  取り出しローラ
２１、２２  通帳検知センサ
３０  上板
３１  底板
３２  前板
３３  後板
３４、３５、３６、３７  表板
３８、３９、４０  裏板
４１  上横板
４２  下横板
４３、４４、４５、４６、４７、４８  ピン
４９  通帳放出開口部
５０  ヒンジ
５２、８０  扉
６２  バックアップアーム
６３  バックアップ
７０  前板突起部
７１  カセットガイド
７２  ストッパ
７５  通帳カセットフレーム
７６  天板
８１  扉取手
８２  側板
【図１】
2009132476.tif 000003
【図２】
2009132476.tif 000004
【図３】
2009132476.tif 000005
【図４】
2009132476.tif 000006
【図５】
2009132476.tif 000007
【図６】
2009132476.tif 000008
【図７】
2009132476.tif 000009
【図８】
2009132476.tif 000010
【図９】
2009132476.tif 000011
【図１０】
2009132476.tif 000012
【図１１】
2009132476.tif 000013
【図１２】
2009132476.tif 000014
【図１３】
2009132476.tif 000015
【図１４】
2009132476.tif 000016
【図１５】
2009132476.tif 000017
【図１６】
2009132476.tif 000018
【図１７】
2009132476.tif 000019
【図１８】
2009132476.tif 000020
【図１９】
2009132476.tif 000021